(57)【特許請求の範囲】
【請求項１】
洗い場の外周部に洗い場の床面から立ち下げて凹溝が形成され、この凹溝に建具支承用の補助部材が嵌め付けられ、この補助部材を介して建具が洗い場の外周部に取り付けられた浴室床パンの建具取り付け構造であって、上記の凹溝の外側壁が洗い場の床面より高く形成され、凹溝のコーナー位置に、上記の補助部材の端部に当接させて、少なくとも側面が面取りされたシールド兼位置決め用の壁下部材が上記の凹溝に嵌め合わされて設けられ、この壁下部材の面取り部によって取り付け箇所の周面との間に防水処理剤の保溜スペースが作られたことを特徴とする浴室床パンの建具取り付け構造。
【請求項２】
請求項１記載の浴室床パンの建具取り付け構造であって、凹溝にドア枠が嵌め付けられ、このドア枠に対応する凹溝の外側壁の上部が切り欠かれ、この外側壁を越えて脱衣室の側に張り出されたドア枠の延長部が、洗い場の床面と略同じ高さに形成されたことを特徴とする浴室床パンの建具取り付け構造。
【請求項３】
請求項１又は２記載の浴室床パンの建具取り付け構造であって、凹溝のコーナー位置に配置される壁下部材が、上記のコーナー位置に嵌め込まれるコーナー部と、このコーナー部から横に延ばされた延長部とで形成されると共に、上記のコーナー位置のエッジに対応する側面位置に、防水処理剤の保溜部が縦溝状に形成されたことを特徴とする浴室床パンの建具取り付け構造。
【請求項４】
請求項３記載の浴室床パンの建具取り付け構造であって、コーナー配置用壁下部材の延長部の長さが、この壁下部材以外の壁下部材の、凹溝の長手方向に沿った長さと同一に選定されたことを特徴とする浴室床パンの建具取り付け構造。
【発明の詳細な説明】
【０００１】
【発明の属する技術分野】
本発明は、浴室床パンの建具取付け構造に関し、更に詳しくは洗い場の外周部にドア枠や壁パネルを壁下の水密性や防水性が高い状態で取り付け可能に形成した浴室床パンの建具取付け構造に関するものである。
【０００２】
【従来の技術】
従来この種の構造としては、例えば洗い場の外周部に凹溝部を洗い場の床面より低い状態に形成し、この凹溝部に補助部材を嵌め込み、この補助部材を介してドア枠又は壁パネルを洗い場の外周部に取り付けたものがある（例えば特開平１０ー８８６３７号公報参照）。
【０００３】
【発明が解決しようとする課題】
ところでこの種の構造は、安全で使い勝手が良くなるよう、出入口の段差を無くすことができ、且つ施工を簡単、容易に行なうことができるだけではなく、壁下位置の水密性、防水性が高くなるよう、形成されているのが望ましい。
【０００４】
しかるに従来は、上記の通り、洗い場の外周部に洗い場の床面より低い凹溝部を形成し、この凹溝部に補助部材を嵌め込み、この補助部材を介して壁パネル等を取り付けるのに過ぎなかった。従って従来構造は、補助部材によって出入口の段差を解消でき、補助部材で建具の取付作業を簡単化できるものの、この種の補助部材は、通常、角筒状、中空状であるため、従来構造によると、補助部材の端部における壁下の水密性、防水性が低い、という問題点があった。
【０００５】
本発明は、このような従来の問題点に鑑み、提案されたものである。
従って本発明の技術的課題は、洗い場の外周部に洗い場の床面から立ち下げて凹溝を形成し、この凹溝に建具支承用の補助部材を嵌め込み、この補助部材を介して建具を洗い場の外周部に設けた浴室床パンの建具取り付け構造において、壁下の水密性、防水性が良くなるよう形成した浴室床パンの建具取り付け構造を提供することにある。
【０００６】
【課題を解決するための手段】
本発明は、上記の課題を解決するために、次のような技術的手段を採る。
【０００７】
即ち本発明は、図１に示されるように、洗い場１の外周部に洗い場１の床面から立ち下げて凹溝２が形成され、この凹溝２に建具支承用の補助部材３が嵌め付けられ、この補助部材３を介して建具５が洗い場１の外周部に取り付けられた浴室床パンの建具取り付け構造であって、上記の凹溝２の外側壁２ａが洗い場１の床面より高く形成され、凹溝２のコーナー位置Ｓ１に、上記の補助部材３の端部３ａに当接させて、少なくとも側面が面取りされたシールド兼位置決め用の壁下部材６が上記の凹溝２に嵌め合わされて設けられ、この壁下部材６の面取り部６ａによって取り付け箇所の周面との間に防水処理剤４の保溜スペースＳ２が作られたことを特徴とする（請求項１）。
【０００８】
ここで、少なくとも側面が面取りされた、とは、壁下部材６は側面だけではなく、底面も面取りされるのでも良い、ということを意味する。底面も面取りされる場合は、防水処理剤４の逃げ箇所（液溜めの箇所）が多くなり、シールド性が一層良くなる、という利点がある。
【０００９】
又本発明は、図４等に示されるように、凹溝２にドア枠７が嵌め付けられ、このドア枠７に対応する凹溝２の外側壁２ａの上部が切り欠かれ、この外側壁２ａを越えて脱衣室８の側に張り出されたドア枠７の延長部７ａが、洗い場１の床面と略同じ高さに形成されるのが好ましい（請求項２）。
【００１０】
この場合は、ドア枠７に対応する凹溝２の外側壁２ａの上部だけ、切り欠くものであるから、浴室床パンの強度を損なうことなく、出入口における躓きを解消できる、という利点がある。
【００１１】
又本発明は、図７、図８に示されるように、凹溝２のコーナー位置Ｓ1に配置される壁下部材９が、上記のコーナー位置Ｓ1に嵌め込まれるコーナー部９ａと、このコーナー部９ａから横に延ばされた延長部９ｂとで形成されると共に、上記のコーナー位置Ｓ1のエッジ２ｂに対応する側面位置に、防水処理剤４の保溜部９１が縦溝状に形成されてなるのが好ましい（請求項３）。
【００１２】
この場合は、延長部９ｂによって補助部材３に長さの違いがあっても調節でき、又防水処理剤４の保溜部９１によって凹溝２のコーナー位置Ｓ1に塗布する防水処理剤４が流れ出すことを防止できるからである。
【００１３】
又この本発明の場合は、図９に示されるように、コーナー配置用壁下部材９の延長部９ｂの長さＤ1が、この壁下部材９以外の壁下部材６の、凹溝２の長手方向に沿った長さＤ2と同一に選定されるのが好ましい（請求項４）。
【００１４】
この場合は、図９に示されるように、補助部材３は取付け位置Ａ、Ｂが変わっても、同一寸法の一種類のもので済むからである。具体的には、延長部９ｂの長さＤ1が壁下部材６の長さＤ2と同じ寸法（例えば３０ｍｍ）に選定されると、Ａ、Ｂの位置の各補助部材３は、寸法Ｄ3、Ｄ4が例えば７７０（ｍｍ）の同じ長さの、同一種類のもので済む。これに対し、長さＤ1が長さＤ2と異なると、二種類の長さの補助部材３を用意する煩わしさが生じるものである。
【００１５】
【発明の実施の形態】
以下、本発明の好適な一実施形態を添付図面に従って説明する。
【００１６】
本発明構造は、図１等に示されるように、洗い場１の外周部に洗い場１の床面から立ち下げて凹溝２が形成されている。３は、この凹溝２に嵌め付けられた建具支承用の補助部材である。この補助部材３は、通常、凹溝２との隙間に防水処理剤４が塗布される。本発明は、この補助部材３を介して、建具５としての例えば壁パネルが洗い場１の外周部に取り付けられるものである。
【００１７】
上記の凹溝２の外側壁２ａは、水返し（水切り）できるよう、洗い場１の床面より高く形成されている。６は、上記の補助部材３の端部３ａに当接させる、シールド兼位置決め用の壁下部材である。
【００１８】
上記の壁下部材６は、この実施形態では図５に示されるように、側面と底面が面取りされている。６ａは、面取り部である。この面取り部６ａによって防水処理剤４の保溜スペースＳ２（図１Ｂ参照）が取り付け箇所の周面との間に作られる。防水処理剤４は、補助部材３と凹溝２との隙間だけではなく、この保溜スペースＳ２を埋め、隙間を閉塞する。なお壁下部材６は、この実施形態ではドア枠７との接合部と、凹溝２のコーナー位置Ｓ1（図６参照）に設けられている。
【００１９】
ドア枠７（図１Ｂ、図４参照）は、凹溝２に嵌め付けられている。そしてこのドア枠７に対応する凹溝２の外側壁２ａの上部は、図４に示されるように、切り欠かれ、この外側壁２ａを越えて脱衣室８の側に延長部７ａが張り出されている。又このドア枠７の延長部７ａは、洗い場１の床面と略同じ高さに形成されている。
【００２０】
又この実施形態の本発明構造は、凹溝２のコーナー位置Ｓ1に配置されるコーナー配置用の壁下部材９（図７、図８参照）を備えてなる。このコーナー配置用の壁下部材９は、凹溝２のコーナー位置Ｓ1に嵌め込まれるコーナー部９ａと、このコーナー部９ａから横に延ばされた延長部９ｂとで形成されると共に、凹溝２のコーナー位置Ｓ1のエッジ２ｂに対応する側面位置に、防水処理剤４の保溜部９１が縦溝状に形成されている。
【００２１】
又本発明は、図９に示されるように、この実施形態では壁下部材９の延長部９ｂの長さＤ1（この実施形態では３０ｍｍ）が、コーナー配置用壁下部材９以外の壁下部材６の、凹溝２の長手方向に沿った長さＤ2（この実施形態では３０ｍｍ）と同一に形成されている。同図において、Ｄ3、Ｄ4は、補助部材３の横幅（この実施形態では共に７７０ｍｍ）であり、Ｄ5は浴室の出入口側の横幅（この実施形態では１８００ｍｍ）、Ｄ6は補助部材３と延長部９ｂの長さとを足した距離である。
【００２２】
従ってこの実施形態の場合は、コーナー配置用壁下部材９の延長部９ｂの長さＤ1と、壁下部材６の長さＤ2とが同一であるから、Ａの位置の補助部材３と、Ｂの位置の補助部材３は、共に同一サイズ（７７０ｍｍ）で良く、それ故一種類の補助部材３で施工できる。
【００２３】
【発明の効果】
以上説明したように本発明は、凹溝の外側壁を洗い場の床面より高く形成し、凹溝のコーナー位置に、この凹溝に嵌め付けた補助部材の端部に当接させて、少なくとも側面を面取りした壁下部材を凹溝に嵌め合わせて設け、この壁下部材の面取り部によって取り付け箇所との間に防水処理剤の保溜スペースを作ったものである。
【００２４】
従って本発明によれば、凹溝の外側壁と壁下部材によって、コーナー位置の水密性、防水性、壁下の水密性、防水性を向上させることができる。
【図面の簡単な説明】
【図１】  本発明構造の好適な一実施形態を示し、ＡはＢのＡーＡ線拡大断面図、Ｂは要部平面図である。
【図２】  浴室床パンの平面図である。
【図３】  図２のIIIーIII線における断面図である。
【図４】  図１ＢのIVーIV線における拡大断面図である。
【図５】  壁下部材の斜視図である。
【図６】  凹溝のコーナー位置を示す要部平面図である。
【図７】  コーナー配置用壁下部材の斜視図である。
【図８】  コーナー配置用壁下部材の使用状態を示す要部平面図である。
【図９】  壁下部材と補助部材との関係を説明するための平面図である。
【符号の説明】
１    洗い場
２    凹溝
２ａ  外側壁
３    補助部材
３ａ  端部
５    建具
６    壁下部材
【図１】
0003654123.tif 000002
【図２】
0003654123.tif 000003
【図３】
0003654123.tif 000004
【図４】
0003654123.tif 000005
【図５】
0003654123.tif 000006
【図６】
0003654123.tif 000007
【図７】
0003654123.tif 000008
【図８】
0003654123.tif 000009
【図９】
0003654123.tif 000010